【手続補正書】
【提出日】平成22年11月5日(2010.11.5)
【手続補正１】
【補正対象書類名】特許請求の範囲
【補正対象項目名】全文
【補正方法】変更
【補正の内容】
【特許請求の範囲】
【請求項１】
動画データと前記動画データを頭出し再生するための管理情報とを記録媒体に記録し、前記記録媒体から動画データと管理情報を再生する記録再生手段と、
前記記録再生手段により前記記録媒体から再生された動画データを用いて前記管理情報を生成する生成手段と、
前記動画データの管理情報が前記記録媒体に正常に記録されていないと判別した場合に、前記生成手段が前記動画データの管理情報を生成するのに要する時間に基づいて前記生成手段と前記記録再生手段を制御する制御手段とを備え、
前記制御手段は、前記生成手段が前記動画データの管理情報を生成するのに要する時間が所定時間以内の場合に前記生成手段により前記管理情報を生成して前記生成された管理情報を前記記録再生手段により前記記録媒体に記録し、前記生成手段が前記動画データの管理情報を生成するのに要する時間が所定時間を超える場合に前記生成手段により前記管理情報を生成しないように、前記生成手段と前記記録再生手段とを制御することを特徴とする記録再生装置。
【請求項２】
動画データと前記動画データにおける複数の所定のフレーム位置の先頭からのデータ量に関する管理情報とを記録媒体に記録し、前記記録媒体から前記動画データと前記管理情報を再生する記録再生手段と、
前記記録再生手段により前記記録媒体から再生された動画データを用いて前記管理情報を生成する生成手段と、
前記動画データの管理情報が前記記録媒体に正常に記録されていないと判別した場合に、前記生成手段が前記動画データの管理情報を生成するのに要する時間に基づいて前記生成手段と前記記録再生手段を制御する制御手段とを備え、
前記制御手段は、前記生成手段が前記動画データの管理情報を生成するのに要する時間が所定時間以内の場合に前記生成手段により前記管理情報を生成して前記生成された管理情報を前記記録再生手段により前記記録媒体に記録し、前記生成手段が前記動画データの管理情報を生成するのに要する時間が所定時間を超える場合に前記生成手段により前記管理情報を生成しないように、前記生成手段と前記記録再生手段とを制御することを特徴とする記録再生装置。
【請求項３】
前記制御手段は、前記動画データの長さに応じて前記管理情報を生成するのに要する時間を予測することを特徴とする請求項１または２に記載の記録再生装置。
【請求項４】
動画データと前記動画データを頭出し再生するための管理情報とを記録媒体に記録し、前記記録媒体から動画データと管理情報を再生する記録再生工程と、
前記記録再生工程において前記記録媒体から再生された動画データを用いて前記管理情報を生成する生成工程と、
前記動画データの管理情報が前記記録媒体に正常に記録されていないと判別した場合に、前記生成工程が前記動画データの管理情報を生成するのに要する時間に基づいて前記生成工程と前記記録再生工程を制御する制御工程とを備え、
前記制御工程は、前記生成工程が前記動画データの管理情報を生成するのに要する時間が所定時間以内の場合に前記生成工程において前記管理情報を生成して前記生成された管理情報を前記記録再生工程において前記記録媒体に記録し、前記生成工程が前記動画データの管理情報を生成するのに要する時間が所定時間を超える場合に前記生成工程において前記管理情報を生成しないように、前記生成工程と前記記録再生工程とを制御することを特徴とする記録再生方法。
【請求項５】
動画データと前記動画データにおける複数の所定のフレーム位置の先頭からのデータ量に関する管理情報とを記録媒体に記録し、前記記録媒体から前記動画データと前記管理情報を再生する記録再生工程と、
前記記録再生工程において前記記録媒体から再生された動画データを用いて前記管理情報を生成する生成工程と、
前記動画データの管理情報が前記記録媒体に正常に記録されていないと判別した場合に、前記生成工程が前記動画データの管理情報を生成するのに要する時間に基づいて前記生成工程と前記記録再生工程を制御する制御工程とを備え、
前記制御工程は、前記生成工程が前記動画データの管理情報を生成するのに要する時間が所定時間以内の場合に前記生成工程において前記管理情報を生成して前記生成された管理情報を前記記録再生工程において前記記録媒体に記録し、前記生成工程が前記動画データの管理情報を生成するのに要する時間が所定時間を超える場合に前記生成工程において前記管理情報を生成しないように、前記生成工程と前記記録再生工程とを制御することを特徴とする記録再生方法。
【請求項６】
請求項４または５に記載の記録再生方法の各工程をコンピュータに実行させるためのプログラムを記録したことを特徴とするコンピュータ読み取り可能な記録媒体。
【手続補正２】
【補正対象書類名】明細書
【補正対象項目名】００１０
【補正方法】変更
【補正の内容】
【００１０】
本発明の記録再生装置は、動画データと前記動画データを頭出し再生するための管理情報とを記録媒体に記録し、前記記録媒体から動画データと管理情報を再生する記録再生手段と、前記記録再生手段により前記記録媒体から再生された動画データを用いて前記管理情報を生成する生成手段と、前記動画データの管理情報が前記記録媒体に正常に記録されていないと判別した場合に、前記生成手段が前記動画データの管理情報を生成するのに要する時間に基づいて前記生成手段と前記記録再生手段を制御する制御手段とを備え、前記制御手段は、前記生成手段が前記動画データの管理情報を生成するのに要する時間が所定時間以内の場合に前記生成手段により前記管理情報を生成して前記生成された管理情報を前記記録再生手段により前記記録媒体に記録し、前記生成手段が前記動画データの管理情報を生成するのに要する時間が所定時間を超える場合に前記生成手段により前記管理情報を生成しないように、前記生成手段と前記記録再生手段とを制御することを特徴とする。
また、本発明の記録再生装置の他の特徴とするところは、動画データと前記動画データにおける複数の所定のフレーム位置の先頭からのデータ量に関する管理情報とを記録媒体に記録し、前記記録媒体から前記動画データと前記管理情報を再生する記録再生手段と、前記記録再生手段により前記記録媒体から再生された動画データを用いて前記管理情報を生成する生成手段と、前記動画データの管理情報が前記記録媒体に正常に記録されていないと判別した場合に、前記生成手段が前記動画データの管理情報を生成するのに要する時間に基づいて前記生成手段と前記記録再生手段を制御する制御手段とを備え、前記制御手段は、前記生成手段が前記動画データの管理情報を生成するのに要する時間が所定時間以内の場合に前記生成手段により前記管理情報を生成して前記生成された管理情報を前記記録再生手段により前記記録媒体に記録し、前記生成手段が前記動画データの管理情報を生成するのに要する時間が所定時間を超える場合に前記生成手段により前記管理情報を生成しないように、前記生成手段と前記記録再生手段とを制御することを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
本発明の記録再生方法は、動画データと前記動画データを頭出し再生するための管理情報とを記録媒体に記録し、前記記録媒体から動画データと管理情報を再生する記録再生工程と、前記記録再生工程において前記記録媒体から再生された動画データを用いて前記管理情報を生成する生成工程と、前記動画データの管理情報が前記記録媒体に正常に記録されていないと判別した場合に、前記生成工程が前記動画データの管理情報を生成するのに要する時間に基づいて前記生成工程と前記記録再生工程を制御する制御工程とを備え、前記制御工程は、前記生成工程が前記動画データの管理情報を生成するのに要する時間が所定時間以内の場合に前記生成工程において前記管理情報を生成して前記生成された管理情報を前記記録再生工程において前記記録媒体に記録し、前記生成工程が前記動画データの管理情報を生成するのに要する時間が所定時間を超える場合に前記生成工程において前記管理情報を生成しないように、前記生成工程と前記記録再生工程とを制御することを特徴とする。
また、本発明の他の特徴とするところは、動画データと前記動画データにおける複数の所定のフレーム位置の先頭からのデータ量に関する管理情報とを記録媒体に記録し、前記記録媒体から前記動画データと前記管理情報を再生する記録再生工程と、前記記録再生工程において前記記録媒体から再生された動画データを用いて前記管理情報を生成する生成工程と、前記動画データの管理情報が前記記録媒体に正常に記録されていないと判別した場合に、前記生成工程が前記動画データの管理情報を生成するのに要する時間に基づいて前記生成工程と前記記録再生工程を制御する制御工程とを備え、前記制御工程は、前記生成工程が前記動画データの管理情報を生成するのに要する時間が所定時間以内の場合に前記生成工程において前記管理情報を生成して前記生成された管理情報を前記記録再生工程において前記記録媒体に記録し、前記生成工程が前記動画データの管理情報を生成するのに要する時間が所定時間を超える場合に前記生成工程において前記管理情報を生成しないように、前記生成工程と前記記録再生工程とを制御することを特徴とする。
【手続補正６】
【補正対象書類名】明細書
【補正対象項目名】００１４
【補正方法】削除
【補正の内容】